(57)【要約】【課題】耐久性に優れ、簡単かつ安価に構成できるフットスイッチを提供し、その使い勝手や携帯性も良好なものとする。【解決手段】開示されるスイッチ・プロテクタ１は、スイッチの雄ネジの外径より所定寸法だけ長い幅と、その幅より所定寸法だけ長い長さを有する略長方形状であって、その略中央部にスイッチの雄ネジに遊嵌する円孔が形成された基部１ａと、基部１ａの幅と同一の幅を有するとともに、基部１ａの一端からほぼ垂直に所定寸法の高さを有して立ち上がる立上がり部１ｂとが一体に形成されている。【選択図】      図１
2004342536.tif 000002
【特許請求の範囲】
【請求項１】
スイッチの軸に遊嵌する孔が形成された基部と、前記スイッチとともに筐体表面に取り付けられた際に前記スイッチに外力が加えられる側に位置する前記基部の縁部に所定高さを有して立ち上がる立上がり部とが一体に形成されていることを特徴とするスイッチ・プロテクタ。
【請求項２】
前記立上がり部の上端から前記孔に向かって折り返すように所定長さを有して延びる折返し部が前記基部及び前記立上がり部と一体に形成されていることを特徴とする請求項１記載のスイッチ・プロテクタ。
【請求項３】
前記所定高さは、前記スイッチの動作位置の前記筐体表面からの高さと、前記立上がり部上部の前記筐体表面からの高さとの差が５ｍｍ以上７ｍｍ以下となる高さであることを特徴とする請求項１又は２記載のスイッチ・プロテクタ。
【請求項４】
スイッチと、請求項１乃至３のいずれか１に記載のスイッチ・プロテクタの少なくとも１つとが筐体表面に取り付けられていることを特徴とするフットスイッチ。
【請求項５】
筐体上面に設けられ、その側面に少なくとも１つの発光素子が設けられた発光部と、前記筐体上面の前記発光部から足が載置可能な距離だけ離れた位置に設けられ、その側面に前記発光素子から照射された光線を受光する少なくとも１つの受光素子が設けられた受光部とを備えていることを特徴とするフットスイッチ。
【請求項６】
前記発光部又は前記受光部の少なくとも１つは、前記筐体上面に揺動自在に設けられていることを特徴とする請求項５記載のフットスイッチ。
【請求項７】
前記光線は、可視光線であることを特徴とする請求項５又は６記載のフットスイッチ。
【発明の詳細な説明】
【０００１】
【発明の属する技術分野】
この発明は、押しボタンスイッチ等のスイッチを保護するためのスイッチ・プロテクタ及びこれを用いたフットスイッチに関する。
【０００２】
【従来の技術】
従来のフットスイッチには、耐久性を考慮したものとして、以下に示すものがある。すなわち、第１のフットスイッチは、空隙のみを介在して上下方向に相対向する一対の導電ゴムからなるスイッチ本体と、絶縁ゴム等からなり、スイッチ本体を包囲し、弾性によって自動的に復帰可能な弾性包囲体とを備えている。そして、この第１のフットスイッチは、弾性包囲体の踏み付けにより上側の導電ゴムが下側の導電ゴムと接触してオンとなり、踏み付けの解除によってオフとなる（例えば、特許文献１参照。）。
【０００３】
また、第２のフットスイッチは、足により操作する踏込部材と、この踏込部材と一体に固設された可動軸と、この可動軸を摺動自在に装着した外枠と、この外枠と踏込部材との間に係着された復帰ばねと、可動軸に固設されたばねホルダを摺動自在に装着したカバー部材と、ばねホルダを可動軸との間に係着された緩衝ばねと、外枠に固定関係に配設された基板と、この基板に実装されたスイッチとからなり、踏込部材、可動軸、ばねホルダ及びスイッチがほぼ同一軸線上に位置している（例えば、特許文献２参照。）。
【０００４】
さらに、第３のフットスイッチは、基台の略中央位置に設けられたマイクロスイッチと、このマイクロスイッチを押圧する押圧部材を有する摺動手段と、基台と摺動手段間に介在させたスプリングとを備え、摺動手段に設けられたガイド手段を基台に穿った透孔に嵌遊自在となすとともに、シーソ動作を行うような金具をガイド手段に取り付けて構成されている（例えば、特許文献３参照。）。
【０００５】
【特許文献１】
特開平９−１７１７４１号公報（［０００６］、図２）
【特許文献２】
実開平５−３４６２４号公報（請求項１、図１）
【特許文献３】
特開平７−１２２１５１号公報（［００２２］、図２）
【０００６】
【発明が解決しようとする課題】
ところで、電子楽器のフットスイッチは、電子楽器から出力される楽音信号を、それに音響効果を付与するためにエフェクタに供給したり、アンプ等の各種電子機器への供給を切り換えるために操作される。キーボードが設けられた電子楽器の演奏者は、通常、キーボードに両手又は片手をそえたままでフットスイッチを操作するため、フットスイッチを必要以上に強い力で踏み込むことはほとんどない。
【０００７】
これに対し、電気ギター等の電気弦楽器の演奏者は、電気弦楽器を持ったままある程度自由に動き回れるため、ステージ上でパフォーマンスとして又は一種の興奮状態となることにより、フットスイッチを、ジャンプするなどして強く踏みつけたり、通常とは異なった角度で踏みつけたりするなど、フットスイッチに想定以上の力を加える場合がある。特に、ロック等の激しい音楽を演奏する演奏者には、このような操作をする者が多い。この場合には、フットスイッチが実際の耐久時間より短い時間で、場合によっては演奏中にもかかわらず壊れてしまう。何故なら、フットスイッチには、通常、押しボタンスイッチやトグルスイッチ等、人の指先による操作を想定して作製された汎用のスイッチを切換手段として用いるが、足による、しかも上記した過激な操作というスイッチ本来の操作方法と異なる方法を用いるからである。
【０００８】
この点、上記した従来の第１〜第３のフットスイッチは、いずれも耐久性が考慮されている。しかし、これら従来の第１〜第３のフットスイッチには、以下に示すようにそれぞれ課題がある。電気ギターのフットスイッチは、例えば、中空の略直方形状の筐体の上面に押しボタンスイッチ等が取り付けられるとともに、上記筐体の側面に、電気ギター、エフェクタ、アンプあるいは他の電子機器のそれぞれにケーブルを介して接続された複数のプラグが挿入される複数のジャックが取り付けられ、筐体内部で上記押しボタンスイッチ等と複数のジャックとがコードを介して接続されて構成されている。ところが、上記した第１のフットスイッチは、床面に直接載置して使用するものであるため、上記筐体の上面には取り付けられず、電気ギター等と同様にケーブル、プラグ及びジャックを介して上記筐体の側面に取り付ける必要があり、使い勝手や携帯性の点で問題がある。また、第１のフットスイッチ本体に耐久性があっても、第１のフットスイッチ本体がケーブルと一体に構成されているため、ケーブルの断線が発生した場合には、第１のフットスイッチ本体の寿命が来る前に使用できなくなってしまう。
【０００９】
一方、従来の第２のフットスイッチの場合、スイッチを筐体内部に取り付けるとともに、外枠や可動軸等を筐体の上面に直接取り付けることができるが、数多くの部材から構成されており、高価になるとともに、設計の自由度が少ないという問題がある。さらに、従来の第３のフットスイッチの場合、上記した第１のフットスイッチと同様、床面に直接載置して使用するものであるため、上記した第１のフットスイッチと同様の問題があるとともに、上記した第２のフットスイッチと同様、数多くの部材から構成されているため、上記した第２のフットスイッチと同様の問題がある。
【００１０】
この発明は、上述の事情に鑑みてなされたもので、耐久性に優れ、簡単かつ安価に構成できるフットスイッチを提供するとともに、その使い勝手や携帯性も良好なものとすることができるスイッチ・プロテクタ及びフットスイッチを提供することを目的としている。
【００１１】
【課題を解決するための手段】
上記課題を解決するために、請求項１記載の発明に係るスイッチ・プロテクタは、スイッチの軸に遊嵌する孔が形成された基部と、上記スイッチとともに筐体表面に取り付けられた際に上記スイッチに外力が加えられる側に位置する上記基部の縁部に所定高さを有して立ち上がる立上がり部とが一体に形成されていることを特徴としている。
【００１２】
また、請求項２記載の発明は、請求項１記載のスイッチ・プロテクタに係り、上記立上がり部の上端から上記孔に向かって折り返すように所定長さを有して延びる折返し部が上記基部及び上記立上がり部と一体に形成されていることを特徴としている。
【００１３】
また、請求項３記載の発明は、請求項１又は２記載のスイッチ・プロテクタに係り、上記所定高さは、上記スイッチの動作位置の上記筐体表面からの高さと、上記立上がり部上部の上記筐体表面からの高さとの差が５ｍｍ以上７ｍｍ以下となる高さであることを特徴としている。
【００１４】
また、請求項４記載の発明に係るフットスイッチは、スイッチと、請求項１乃至３のいずれか１に記載のスイッチ・プロテクタの少なくとも１つとが筐体表面に取り付けられていることを特徴としている。
【００１５】
また、請求項５記載の発明に係るフットスイッチは、筐体上面に設けられ、その側面に少なくとも１つの発光素子が設けられた発光部と、上記筐体上面の上記発光部から足が載置可能な距離だけ離れて位置に設けられ、その側面に上記発光素子から照射された光線を受光する少なくとも１つの受光素子が設けられた受光部とを備えていることを特徴としている。
【００１６】
また、請求項６記載の発明は、請求項５記載のフットスイッチに係り、上記発光部又は上記受光部の少なくとも１つは、上記筐体上面に揺動自在に設けられていることを特徴としている。
【００１７】
また、請求項７記載の発明は、請求項５又は６記載のフットスイッチに係り、上記光線は、可視光線であることを特徴としている。
【００１８】
【発明の実施の形態】
実施の形態１．
図１は、この発明の実施の形態１であるスイッチ・プロテクタ１の構成を示す斜視図である。スイッチ・プロテクタ１は、例えば、ＳＥＣＣ、溶融亜鉛メッキ鋼板、電気亜鉛メッキ鋼板、ステンレス板、アルミニウム板等の板金に対してプレス曲げ加工等を施すことにより作製されている。スイッチ・プロテクタ１は、図１に示すように、基部１ａと、立上がり部１ｂと、折返し部１ｃとが一体に構成されている。基部１ａは、後述するスイッチ３の雄ネジ３ｂ（図３参照）の外径より所定寸法だけ長い幅と、その幅より所定寸法だけ長い長さを有する略長方形状であって、その略中央部にはスイッチ３の雄ネジ３ｂ（軸）に遊嵌する円孔１ｄが形成されている。立上がり部１ｂは、基部１ａの幅と同一の幅を有するとともに、基部１ａの一端からほぼ垂直に所定寸法の高さを有して立ち上がっている。折返し部１ｃは、基部１ａの幅及び立上がり部１ｂの幅と同一の幅を有するとともに、立上がり部１ｂの上端から基部１ａの他端に向かって折り返すようにほぼ水平に所定寸法の長さを有して延びている。基部１ａの他端の両角部及び折返し部１ｃの両角部は、演奏者が靴底を引っかけないようにするために、丸められている。スイッチ・プロテクタ１のサイズは、一例として、厚さが約１ｍｍ、基部１ａの幅が約１７ｍｍ、基部１ａの長さが約２５ｍｍ、立上がり部１ｂの高さが約７ｍｍ、折返し部１ｃの長さが約５ｍｍ、円孔１ｄの直径が約１２ｍｍである。スイッチ・プロテクタ１は、２００ｋｇ程度の荷重があった場合にでも耐えうる構造及び材質であることが望ましい。
【００１９】
図２は、上記スイッチ・プロテクタ１を適用したフットスイッチの外観構成を示す斜視図、図３は、図２の部分側面図である。この例のフットスイッチは、上記スイッチ・プロテクタ１と、スペーサ２と、スイッチ３と、筐体４と、ジャック５１〜５４とから概略構成されている。スペーサ２は、異なる種類のスイッチを筐体４に取り付けた場合の、スイッチ・プロテクタ１の折返し部１ｃの筐体４の上面４ａからの高さと、スイッチ３の操作部３ａの動作位置（後述）の筐体４の上面４ａからの高さとの差を調整するためと、スイッチ・プロテクタ１及び筐体４の上面４ａの保護のために用いられる。スペーサ２は、例えば、ＡＢＳ樹脂、ポリプロピレン、あるいはポリスチレン等の合成樹脂からなり、所定寸法の厚さを有するとともに、その略中央部にはスイッチ３の雄ネジ３ｂ（図３参照）に遊嵌する円孔が形成された略リング状をしている。スペーサ２のサイズは、一例として、厚さ約２ｍｍ、内径が約１２ｍｍ、外径が約２０ｍｍである。なお、スペーサ２の材質は、上記したＳＥＣＣ、溶融亜鉛メッキ鋼板、電気亜鉛メッキ鋼板、ステンレス板、アルミニウム板等の板金でも良い。
【００２０】
スイッチ３は、例えば、押しボタンスイッチからなり、所定寸法のストロークを有している。スイッチ３は、詳細には図示しないが、例えば、フェノール樹脂からなるケースと、例えば、クロメートで表面処理された冷間圧延鋼板からなるフレームと、例えば、クロームで表面処理された快削黄銅からなる操作部３ａ及び雄ネジ３ｂと、例えば、Ａｇ−Ｆで表面処理された黄銅からなる複数の端子とから構成されている。スイッチ３のサイズは、一例として、雄ネジ３ｂ（軸）の外径が約１１ｍｍ、スイッチ３全体の幅が約１７ｍｍ、フレームから操作部３ａの上面までの高さが約２３ｍｍ、操作部３ａのストロークが約５ｍｍである。スイッチ３は、以下に示すようにして筐体４に取り付けられている。まず、スイッチ３の上記雄ネジ３ｂに、例えば、クロームで表面処理された亜鉛合金からなる第１の六角ナットを螺合した後、例えば、クロメートで表面処理されたみがき特殊帯銅からなるキクワッシャを挿入する。次に、スイッチ３の操作部３ａ及び雄ネジ３ｂを筐体４の上面４ａに形成された図示せぬ円孔の下側から挿入して、筐体４の上面４ａから操作部３ａ及び雄ネジ３ｂを突出させる。次に、スイッチ３の雄ネジ３ｂに、上記スペーサ２及び上記スイッチ・プロテクタ１を順次挿入した後、例えば、クロームで表面処理された亜鉛合金からなる第２の六角ナットを螺合することにより、スイッチ３、スペーサ２及びスイッチ・プロテクタ１を筐体４に固定する。この際、図２及び図３に示すように、スイッチ・プロテクタ１は、その立上がり部１ｂの基部１ａと対向する面とは反対側の面と筐体４の正面４ｂとがほぼ平行になるように固定する。
【００２１】
筐体４は、下部に開口部を有する略直方体の倒立枡状であり、鉄やアルミニウム等の鋳物又は、上記した板金をプレス曲げ加工したり、曲げ加工した後溶接等により接合したりして形成されている。筐体４の下部開口部は、内部に設けられた回路を保護するために、必要に応じて略ロ字状のパッキンを介挿して、カバーがネジ止めされて覆われる。ジャック５１〜５４のうち、ジャック５１及び５２は、図２に示すように、筐体４の右側面４ｃに形成された図示せぬ２つの円孔に取り付けられ、ジャック５３及び５４は、図示しないが、筐体４の左側面４ｄに形成された図示せぬ２つの円孔に取り付けられている。ジャック５１には、例えば、電気ギターに接続されたケーブルの一端に取り付けられたプラグが挿入される。ジャック５２には、例えば、両端にプラグが取り付けられ一方のプラグが図示せぬエフェクタの入力ジャックに挿入されたケーブルに取り付けられた他方のプラグが挿入される。一方、ジャック５３には、例えば、両端にプラグが取り付けられ一方のプラグが図示せぬアンプの入力ジャックに挿入されたケーブルに取り付けられた他方のプラグが挿入される。ジャック５４には、例えば、両端にプラグが取り付けられ一方のプラグが図示せぬエフェクタの出力ジャックに挿入されたケーブルに取り付けられた他方のプラグが挿入される。
【００２２】
次に、図４に筐体４内部に設けられている回路の回路図を示す。図４において、ジャック５１は、その第１の端子が接地され、その第２の端子がスイッチ３の第１の共通端子Ｔｃ１に接続されているとともに、第１の端子と第２の端子との間に所定の抵抗値Ｒを有する抵抗２１が接続されている。ジャック５２は、その第１の端子が接地され、その第２の端子がスイッチ３の第１の常時開路端子Ｔｂ１に接続されているとともに、第１の端子と第２の端子との間に所定の抵抗値Ｒを有する抵抗２２が接続されている。一方、ジャック５３は、その第１の端子が接地され、その第２の端子がスイッチ３の第２の共通端子Ｔｃ２に接続されているとともに、第１の端子と第２の端子との間に所定の抵抗値Ｒを有する抵抗２３が接続されている。ジャック５４は、その第１の端子が接地され、その第２の端子がスイッチ３の第２の常時開路端子Ｔｂ２に接続されているとともに、第１の端子と第２の端子との間に所定の抵抗値Ｒを有する抵抗２４が接続されている。また、スイッチ３の第１の常時閉路端子Ｔａ１と第２の常時閉路端子Ｔａ２とが接続されている。抵抗２１〜２４がそれぞれ有する抵抗値Ｒは、例えば、２．２ＭΩである。
【００２３】
次に、上記構成のフットスイッチの動作について、図５及び図６を参照して説明する。まず、電気ギターの演奏者は、電気ギターに接続されているケーブルの一端に取り付けられているプラグをフットスイッチのジャック５１に挿入し、両端にプラグが取り付けられたケーブルの一方のプラグを図示せぬアンプの入力ジャックに挿入するとともに、他方のプラグをフットスイッチのジャック５３に挿入する。さらに、電気ギターの演奏者は、両端にプラグが取り付けられたケーブルの一方のプラグを図示せぬエフェクタの入力ジャックに挿入するとともに、他方のプラグをフットスイッチのジャック５２に挿入し、両端にプラグが取り付けられたケーブルの一方のプラグを図示せぬエフェクタの出力ジャックに挿入するとともに、他方のプラグをフットスイッチのジャック５４に挿入する。また、電気ギターの演奏者は、図示せぬアンプには、図示せぬケーブルを介して図示せぬスピーカを接続する。
【００２４】
上記接続状態のフットスイッチをステージの床に載置した電気ギターの演奏者が電気ギターを演奏すると、電気ギターから出力された楽音信号は、図示せぬケーブル及びプラグを経てジャック５１からフットスイッチに入力される。これにより、フットスイッチに入力された楽音信号は、スイッチ３の第１の共通端子Ｔｃ１、第１の常時閉路端子Ｔａ１、第２の常時閉路端子Ｔａ２及び第２の共通端子Ｔｃ２を経てジャック５３から出力される。したがって、ジャック５３から出力された楽音信号は、図示せぬプラグ、ケーブル、プラグ及び入力ジャックを経て図示せぬアンプに供給され、当該アンプにおいて増幅された後、図示せぬスピーカから音響として出力される。
【００２５】
そして、電気ギターの演奏者は、自分が演奏する電気ギターの楽音にある１つの音響効果を付与するべく電気ギターとアンプとの間にエフェクタとを介挿するために、図５に示すように、自分の靴３１の靴底３１ａを用いて、スイッチ３を構成する操作部３ａの筐体４の正面４ｂ側の部分を押圧する。これにより、スイッチ３を構成する操作部３ａが、外力が加えられていないときの位置である自由位置から降下を開始し、可動接点が自由位置の状態から反転するときの位置である動作位置まで降下すると、スイッチ３は、その第１の共通端子Ｔｃ１が第１の常時開路端子Ｔｂ１と接続されるとともに、その第２の共通端子Ｔｃ２が第２の常時開路端子Ｔｂ２と接続される。
【００２６】
さらに、電気ギターの演奏者が足による押圧力を強めてスイッチ３を構成する操作部３ａを降下させようとすると、図６に示すように、靴３１の靴底３１ａが、操作部３ａの筐体４の正面４ｂ側の部分だけでなく、スイッチ・プロテクタ１の立上がり部１ｂと折返し部１ｃとの接続部近傍、靴底３１ａと床面との角度によっては筐体４の正面辺部４ｅ（図１及び図６参照）と順次当接する。これにより、スイッチ３の操作部３ａは、そのストッパ止めに到達したときの位置である動作限度位置よりは降下しない。図６においては、スイッチ３の操作部３ａは、その内部に設けられたバネの弾性力により靴３１の靴底３１ａを押し戻し、雄ネジ３ｂの上端からわずかに上昇した位置に戻っている。数種類の靴及び数人の人間による実験によれば、スイッチ・プロテクタ１の折返し部１ｃ上部の筐体４の上面４ａからの高さと、スイッチ３の操作部３ａの動作位置の筐体４の上面４ａからの高さとの差が５〜７ｍｍ程度であれば、スイッチ３を保護するのに有効であることがわかった。
【００２７】
上記した動作によりスイッチ３の第１の共通端子Ｔｃ１が第１の常時開路端子Ｔｂ１と接続されるとともに、その第２の共通端子Ｔｃ２が第２の常時開路端子Ｔｂ２と接続されると、電気ギターから出力された楽音信号は、図示せぬケーブル及びプラグを経てジャック５１からフットスイッチに入力される。これにより、フットスイッチに入力された楽音信号は、スイッチ３の第１の共通端子Ｔｃ１及び第１の常時開路端子Ｔｂ１を経てジャック５２から出力される。したがって、ジャック５２から出力された楽音信号は、図示せぬプラグ、ケーブル、プラグ及び入力ジャックを経て図示せぬエフェクタに供給され、エフェクタにおいてある１つの音響効果が付与された後、図示せぬ、エフェクタの出力ジャック、プラグ、ケーブル、プラグを経てジャック５４から再びフットスイッチに入力される。これにより、フットスイッチに入力されたある１つの音響効果が付与された楽音信号は、スイッチ３の第２の常時開路端子Ｔｂ２及び第２の共通端子Ｔｃ２を経てジャック５３から出力される。したがって、ジャック５３から出力された楽音信号は、図示せぬプラグ、ケーブル、プラグ及び入力ジャックを経て図示せぬアンプに供給され、アンプにおいて増幅された後、図示せぬスピーカから音響として出力される。
【００２８】
このように、この例の構成によれば、スイッチ・プロテクタ１は、押しボタン型のスイッチ３の雄ネジ３ｂ（軸）に遊嵌する円孔１ｄが形成された基部１ａと、スイッチ３とともに筐体４の上面４ａに取り付けられた際にスイッチ３に外力が加えられる側に位置する基部１ａの一端（縁部）に沿って所定高さを有して立ち上がる立上がり部１ｂと、立上がり部１ｂの上端から円孔１ｄに向かって折り返すように所定長さを有して延びる折返し部１ｃとが一体に形成されている。そして、スイッチ３をフットスイッチの筐体４に取り付ける際にこのような形状を有するスイッチ・プロテクタ１を挿入している。したがって、電気ギター等の電気弦楽器の演奏者が、電気弦楽器を持ったまま、ステージ上でパフォーマンスとして又は一種の興奮状態となることにより、フットスイッチを、ジャンプするなどして強く踏みつけたり、通常とは異なった角度で踏みつけたりしたとしても、上記演奏者の靴３１の靴底３１ａがスイッチ・プロテクタ１の立上がり部１ｂと折返し部１ｃとの接続部近傍、靴底３１ａと床面との角度によっては筐体４の正面辺部４ｅと当接するので、スイッチ３の操作部３ａは、動作限度位置よりは降下しない。これにより、フットスイッチを構成するスイッチ３が実際の耐久時間より短い時間で壊れてしまうことを防止することができる。また、極簡単な構造を有するスイッチ・プロテクタ１を追加するだけで良く、また電気弦楽器、アンプ又はエフェクタ等とはジャックを介して接続されるので、使い勝手や携帯性の点、価格、設計の自由度の点で上記した従来のフットスイッチに比べて優れている。
【００２９】
実施の形態２．
図７は、この発明の実施の形態２であるスイッチ・プロテクタ４１の構成を示す斜視図である。図７に示すスイッチ・プロテクタ４１が図１に示すスイッチ・プロテクタ１と異なる点は、基部４１ａの幅が上記したスイッチ３の雄ネジ３ｂの外径の倍以上の長さを有している点である。一例をいえば、スイッチ・プロテクタ１の基部１ａの幅が約１７ｍｍであるのに対し、スイッチ・プロテクタ４１の基部４１ａの幅は約２８ｍｍである。スイッチ・プロテクタ４１の材質、スイッチ３及びスイッチ・プロテクタ４１の筐体４への取り付け方法、フットスイッチの動作については、上記した実施の形態１の場合と同様である。
【００３０】
このように、この例の構成によれば、スイッチ・プロテクタ４１の基部４１ａの幅がスイッチ・プロテクタ１の基部１ａの幅に比べて広いので、スイッチ・プロテクタ４１の筐体４へ取り付ける際に、スイッチ・プロテクタ４１の立上がり部４１ｂの基部４１ａと対向する面と反対側の面と筐体４の正面４ｂとが平行になっていない場合でも、上記した実施の形態１で得られる効果とほぼ同様の効果を得ることができる。また、演奏者がフットスイッチを操作する際に、靴の長手方向と筐体４の長手方向とが平行とならなくてもスイッチ３は十分に保護される。
【００３１】
実施の形態３．
図８は、この発明の実施の形態３であるフットスイッチの第１の外観構成を示す斜視図である。図８において、図２の各部に対応する部分には同一の符号を付け、その説明を省略する。図８に示すフットスイッチが図２に示すフットスイッチと異なる点は、２つのスイッチ・プロテクタ１を線対称となるようにスイッチ３とともに筐体４に取り付けた点である。また、図９は、この発明の実施の形態３であるフットスイッチの第２の外観構成を示す斜視図である。図９において、図２の各部に対応する部分には同一の符号を付け、その説明を省略する。図９に示すフットスイッチが図２に示すフットスイッチと異なる点は、スイッチ・プロテクタ１とスイッチ・プロテクタ４１を線対称となるようにスイッチ３とともに筐体４に取り付けた点である。
【００３２】
このように、この例の構成によれば、２つのスイッチ・プロテクタ１を線対称となるようにスイッチ３とともに筐体４に取り付けたり、スイッチ・プロテクタ１とスイッチ・プロテクタ４１を線対称となるようにスイッチ３とともに筐体４に取り付けている。したがって、上記した実施の形態１で得られる効果とほぼ同様の効果を得ることができる他、演奏者が靴の靴底のつま先だけでなく、かかとでフットスイッチを操作した場合であっても、スイッチ３は十分に保護される。
【００３３】
実施の形態４．
図１０は、この発明の実施の形態４であるスイッチ・プロテクタ５１の構成を示す斜視図である。図１０に示すスイッチ・プロテクタ５１が図１に示すスイッチ・プロテクタ１と異なる点は、スイッチ・プロテクタ５１の基部５１ａの両端に、立上がり部５１ｂ１及び５１ｂ２と、折返し部５１ｃ１及び５１ｃ２とを有している点である。立上がり部５１ｂ１及び５１ｂ２は、基部５１ａの幅と同一の幅を有するとともに、基部５１ａの両端からほぼ垂直に所定寸法の高さを有して立ち上がっている。折返し部５１ｃ１及び５１ｃ２は、基部５１ａの幅及び立上がり部５１ｂ１及び５１ｂ２の幅と同一の幅を有するとともに、それぞれ対応する立上がり部５１ｂ１及び５１ｂ２の上端から基部５１ａの他端に向かって折り返すようにほぼ水平に所定寸法の長さを有して延びている。折返し部５１ｃ１及び５１ｃ２の両角部は、演奏者が靴底を引っかけないようにするために、丸められている。スイッチ・プロテクタ５１のサイズは、一例として、厚さが約１ｍｍ、基部５１ａの幅が約１７ｍｍ、基部５１ａの長さが約２５ｍｍ、立上がり部５１ｂ１及び５１ｂ２の高さが約７ｍｍ、折返し部５１ｃ１及び５１ｃ２の長さが約５ｍｍ、円孔５１ｄの直径が約１２ｍｍである。スイッチ・プロテクタ５１は、２００ｋｇ程度の荷重があった場合にでも耐えうる構造及び材質であることが望ましい。スイッチ・プロテクタ５１は、例えば、ＳＥＣＣ、溶融亜鉛メッキ鋼板、電気亜鉛メッキ鋼板、ステンレス板、アルミニウム板等の板金に対してプレス曲げ加工等を施すことにより作製されている。スイッチ３及びスイッチ・プロテクタ５１の筐体４への取り付け方法、フットスイッチの動作については、上記した実施の形態１の場合と同様である。
【００３４】
このように、この例の構成によれば、スイッチ・プロテクタ５１の基部５１ａの両端に立上がり部５１ｂ１及び５１ｂ２と、折返し部５１ｃ１及び５１ｃ２とを有しているので、上記した実施の形態３で得られる効果とほぼ同様の効果が得られる。さらに、この例の構成によれば、１個のスイッチ・プロテクタ５１をスイッチ３とともに筐体４に取り付けるだけで良いので、上記した実施の形態３と比べて簡単にフットスイッチを組み立てることができる。
【００３５】
実施の形態５．
図１１は、この発明の実施の形態５であるスイッチ・プロテクタ６１の構成を示す斜視図である。スイッチ・プロテクタ６１は、例えば、ＳＥＣＣ、溶融亜鉛メッキ鋼板、電気亜鉛メッキ鋼板、ステンレス板、アルミニウム板等の板金に対してプレス曲げ加工等を施すことにより作製されている。スイッチ・プロテクタ６１は、図１１に示すように、基部６１ａと、立上がり部６１ｂ１及び６１ｂ２とから構成されている。基部６１ａは、スイッチ３の雄ネジ３ｂの外径のほぼ倍だけ長い長さと、その長さより所定寸法だけ長い幅を有する略長方形状であって、その略中央部にはスイッチ３の雄ネジ３ｂ（図３参照）に遊嵌する円孔６１ｄが形成されている。立上がり部６１ｂ１及び６１ｂ２は、基部６１ａの幅と同一の長さを有するとともに、基部６１ａの両端からほぼ垂直に所定寸法の高さを有して立ち上がっている。立上がり部６１ｂ１及び６１ｂ２の両角部は、演奏者が靴底を引っかけないようにするために、面取りが施されている。スイッチ・プロテクタ６１のサイズは、一例として、厚さがスイッチ・プロテクタ１、４１及び５１の厚さの約２倍、すなわち、約２ｍｍ、基部６１ａの幅が約３０ｍｍ、基部６１ａの長さが約２４ｍｍ、立上がり部６１ｂ１及び６１ｂ２の高さが約９ｍｍ、円孔６１ｄの直径が約１２ｍｍである。スイッチ・プロテクタ６１は、２００ｋｇ程度の荷重があった場合にでも耐えうる構造及び材質であることが望ましい。
【００３６】
図１２は、上記スイッチ・プロテクタ６１を適用したフットスイッチの外観構成を示す斜視図である。図１２において、図２の各部に対応する部分には同一の符号を付け、その説明を省略する。図１２に示すフットスイッチが図２に示すフットスイッチと異なる点は、スイッチ・プロテクタ１に換えて、スイッチ・プロテクタ６１を、その一方の立上がり部６１ｂ１の外面と筐体４の正面４ｂとがほぼ平行になるように固定している点である。スイッチ３及びスイッチ・プロテクタ６１の筐体４への取り付け方法、フットスイッチの動作については、上記した実施の形態１の場合と同様である。
【００３７】
このように、この例の構成によれば、基部６１ａがスイッチ３の雄ネジ３ｂの外径の倍以上長い幅を有するスイッチ・プロテクタ６１を用いたので、上記した実施の形態４で得られる効果とほぼ同様の効果が得られる。さらに、この例の構成によれば、スイッチ・プロテクタ６１は、その厚さがスイッチ・プロテクタ１、４１及び５１の厚さの約２倍であるので、折返し部を形成しなくても十分に強度が確保される。この折返し部を形成しない分だけスイッチ・プロテクタ６１を簡単な構造とすることができる。さらに、立上がり部６１ｂ１及び６１ｂ２の両角部には面取りが施されているので、演奏者の靴底が引っかかることはない。
【００３８】
実施の形態６．
図１３は、この発明の実施の形態６であるスイッチ・プロテクタ７１の構成を示す斜視図、図１４は、この発明の実施の形態６であるスイッチ・プロテクタ７２の構成を示す斜視図である。スイッチ・プロテクタ７１及び７２は、例えば、ＳＥＣＣ、溶融亜鉛メッキ鋼板、電気亜鉛メッキ鋼板、ステンレス板、アルミニウム板等の板金に対してプレス絞り加工等を施すことにより作製されている。スイッチ・プロテクタ７１及び７２は、２００ｋｇ程度の荷重があった場合にでも耐えうる構造及び材質であることが望ましい。スイッチ・プロテクタ７１は、図１３に示すように、底部７１ａと、壁部７１ｂ１〜７１ｂ４とから構成された角枡状をしている。底部７１ａは、スイッチ３の雄ネジ３ｂの外径のほぼ倍だけ長い長さと、その長さより所定寸法だけ長い幅を有する略長方形状であって、その略中央部にはスイッチ３の雄ネジ３ｂ（図３参照）に遊嵌する円孔７１ｃが形成されている。壁部７１ｂ１及び７１ｂ２は、底部７１ａの幅と同一の長さを有するとともに、底部７１ａの上下端からほぼ垂直に所定寸法の高さを有して立ち上がっている。一方、壁部７１ｂ３及び７１ｂ４は、底部７１ａの長さと同一の長さを有するとともに、底部７１ａの左右端からほぼ垂直に所定寸法の高さを有して立ち上がっている。スイッチ・プロテクタ７１のサイズは、一例として、厚さがスイッチ・プロテクタ１、４１及び５１の厚さの約２倍、すなわち、約２ｍｍ、底部６１ａの幅が約３０ｍｍ、底部６１ａの長さが約２４ｍｍ、壁部７１ｂ１〜７１ｂ４の高さが約９ｍｍ、円孔７１ｃの直径が約１２ｍｍである。
【００３９】
一方、スイッチ・プロテクタ７２は、図１４に示すように、底部７２ａと、壁部７２ｂとから構成された円筒枡状をしている。底部７２ａは、スイッチ３の雄ネジ３ｂの外径のほぼ倍だけ長い内径を有する略円形状であって、その略中央部にはスイッチ３の雄ネジ３ｂ（図３参照）に遊嵌する円孔７２ｃが形成されている。壁部７２ｂは、底部７２ａの円周からほぼ垂直に所定寸法の高さを有して立ち上がっている。スイッチ・プロテクタ７２のサイズは、一例として、厚さがスイッチ・プロテクタ１、４１及び５１の厚さの約２倍、すなわち、約２ｍｍ、底部７２ａの内径が約２４ｍｍ、壁部７２ｂの高さが約９ｍｍ、円孔７２ｃの直径が約１２ｍｍである。スイッチ３及びスイッチ・プロテクタ７１又は７２の筐体４への取り付け方法、フットスイッチの動作については、上記した実施の形態１の場合と同様である。
【００４０】
このように、この例の構成によれば、角枡状のスイッチ・プロテクタ７１又は円筒枡状のスイッチ・プロテクタ７２を用いたので、上記した実施の形態４で得られる効果とほぼ同様の効果が得られる他、演奏者が筐体４に取り付けられたスイッチ３をどのような方向から踏み付けて操作した場合であっても、スイッチ３は十分に保護される。また、この例の構成によれば、スイッチ・プロテクタ７１及び７２は、その厚さがスイッチ・プロテクタ１、４１及び５１の厚さの約２倍であるので、折返し部を形成しなくても十分に強度が確保される。この折返し部を形成しない分だけスイッチ・プロテクタ７１及び７２を簡単な構造とすることができる。
【００４１】
実施の形態７．
図１５は、この発明の実施の形態７であるフットスイッチ８１の構成を示す斜視図である。この例のフットスイッチ８１は、発光部８２と、受光部８３と、筐体８４と、ジャック８５１〜８５４（ジャック８５３及び８５４は図示略）とから概略構成されている。発光部８２は、下部に開口部を有する略直方体の倒立枡状であり、筐体８４の上面８４ａの左端上部に取り付けられており、その右側面には所定間隔で発光素子８６１〜８６３が設けられている。発光素子８６１〜８６３は、例えば、半導体レーザや発光ダイオード等からなり、筐体８４の上面８４ａの右端上部に取り付けられた受光部８３の対応する受光素子に向かって可視光線を照射する。受光部８３は、下部に開口部を有する略直方体の倒立枡状であり、筐体８４の上面８４ａの右端上部に取り付けられており、その左側面には図示しないが所定間隔で３つの受光素子が設けられている。これらの受光素子は、例えば、フォトダイオードやフォトトランジスタ等からなり、発光部８２の対応する発光素子が照射する可視光線を受光する。発光部８２と受光部８３との距離は、その間に靴が楽に載置できる程度、例えば、１５ｃｍ程度とする。また、可視光線を用いるのは、この例のフットスイッチ８１をステージ上の聴衆から見える位置に載置することにより、聴衆にアピールするためである。この場合、発光素子８６１〜８６３として、それぞれ異なる色の可視光線を照射するものを用いたり、複数の可視光線を照射可能なマルチカラー・タイプのものを用い、電気ギターの楽音信号に応じて発光させる発光素子８６１〜８６３を変更したり、発光素子８６１〜８６３の可視光線の色を変更させたり、同一色の可視光線を点滅させたり、あるいはこれらを組み合わせても良い。
【００４２】
筐体８４は、下部に開口部を有する略直方体の倒立枡状であり、鉄やアルミニウム等の鋳物又は、上記した実施の形態１〜６で説明した種類の板金をプレス曲げ加工したり、曲げ加工した後溶接等により接合したりして形成されている。また、筐体８４の上面８４ａの左端上部には、筐体８４内部に設けられている、発光素子８６１〜８６３を発光させるための各駆動回路と対応する発光素子８６１〜８６３とを電気的に接続するリード線を通すための３つの貫通孔が形成されている。同様に、筐体８４の上面８４ａの右端上部には、可視光線を受光することにより３つの受光素子で発生する電流や電圧を筐体８４内部に設けられている各回路に供給するリード線を通すための３つの貫通孔が形成されている。筐体８４の下部開口部は、内部に設けられた回路を保護するために、必要に応じて略ロ字状のパッキンを介挿して、カバーがネジ止めされて覆われる。
【００４３】
ジャック８５１〜８５４のうち、ジャック８５１及び８５２は、図１５に示すように、筐体８４の右側面８４ｂに形成された図示せぬ２つの円孔に取り付けられ、ジャック８５３及び８５４は、図示しないが、筐体８４の左側面８４ｃに形成された図示せぬ２つの円孔に取り付けられている。ジャック８５１〜８５４への電気ギター等の接続方法については、上記した実施の形態１の場合と同様である。また、筐体８４内部に設けられる回路のうち、主要部については、上記した実施の形態１の場合、すなわち、図４の構成と同様である。ただし、この実施の形態７においては、機械的なスイッチ３に換えて、電気的光学的な発光部８２及び受光部８３を用いている。したがって、発光素子８６１〜８６３から照射された可視光線が対応する３つの受光素子のすべてにそれぞれ入射されている状態では、スイッチ３において、第１の共通端子Ｔｃ１と第１の常時閉路端子Ｔａ１とが接続されているとともに、第２の共通端子Ｔｃ２と第２の常時閉路端子Ｔａ２とが接続されている状態と同様となるように回路を構成する。
【００４４】
一方、演奏者が自分が演奏する電気ギターの楽音にある１つの音響効果を付与するべく電気ギターとアンプとの間にエフェクタとを介挿するために、自分の靴を履いた足を図１５に示す筐体８４の上面８４ａ上の発光部８２と受光部８３との間に載置した場合には、発光素子８６１〜８６３から照射され対応する３つの受光素子に入射されていた可視光線のすべて又はいずれかはその靴によって遮断される。そこで、この状態において、スイッチ３において、第１の共通端子Ｔｃ１と第１の常時開路端子Ｔｂ１とが接続されているとともに、第２の共通端子Ｔｃ２と第２の常時開路端子Ｔｂ２とが接続されている状態と同様となるように回路を構成する。
【００４５】
このように、この例の構成によれば、機械的な構造を有するスイッチ２に換えて電気的光学的な構造を有する発光部８２及び受光部８３を用いているので、上記した実施の形態１〜６と比べて、より耐久性が高い。また、電気ギターの楽音信号に応じて発光素子８６１〜８６３の可視光線の色を変更させたり、複数の可視光線を点滅させたりすれば、聴衆へのアピール度が高い。
【００４６】
実施の形態８．
図１６は、この発明の実施の形態８であるフットスイッチ９１の構成を示す斜視図である。この例のフットスイッチ９１は、発光部９２と、受光部９３と、筐体９４と、ジャック９５１〜９５４（ジャック９５３及び９５４は図示略）と、バネ９６１及び９６２とから概略構成されている。発光部９２は、略中空直方体状であり、筐体９４の上面９４ａの左端上部にバネ９６１を介して揺動自在に取り付けられており、その右側面には所定間隔で発光素子９６１〜９６３が設けられている。発光素子９６１〜９６３は、例えば、半導体レーザや発光ダイオード等からなり、筐体９４の上面９４ａの右端上部に取り付けられた受光部９３の対応する受光素子に向かって可視光線を照射する。受光部９３は、略中空直方体状であり、筐体９４の上面９４ａの右端上部にバネ９６２を介して揺動自在に取り付けられており、その左側面には図示しないが所定間隔で３つの受光素子が設けられている。これらの受光素子は、例えば、フォトダイオードやフォトトランジスタ等からなり、発光部９２の対応する発光素子が照射する可視光線を受光する。発光部９２と受光部９３との距離は、その間に靴が楽に載置できる程度、例えば、１５ｃｍ程度とする。また、可視光線を用いるのは、この例のフットスイッチ９１をステージ上の聴衆から見える位置に載置することにより、聴衆にアピールするためである。この場合、発光素子９６１〜９６３として、それぞれ異なる色の可視光線を照射するものを用いたり、複数の可視光線を照射可能なマルチカラー・タイプのものを用い、電気ギターの楽音信号に応じて発光させる発光素子９６１〜９６３を変更したり、発光素子９６１〜９６３の可視光線の色を変更させたり、同一色の可視光線を点滅させたり、あるいはこれらを組み合わせても良い。
【００４７】
筐体９４は、下部に開口部を有する略直方体の倒立枡状であり、鉄やアルミニウム等の鋳物又は、上記した実施の形態１〜６で説明した種類の板金をプレス曲げ加工したり、曲げ加工した後溶接等により接合したりして形成されている。また、筐体９４の上面９４ａの左端上部には、筐体９４内部に設けられている、発光素子９６１〜９６３を発光させるための各駆動回路と対応する発光素子９６１〜９６３とを電気的に接続するリード線を通すための１つの貫通孔が形成されている。同様に、筐体９４の上面９４ａの右端上部には、可視光線を受光することにより３つの受光素子で発生する電流や電圧を筐体９４内部に設けられている各回路に供給するリード線を通すための１つの貫通孔が形成されている。なお、筐体９４の上面９４ａの左右端上部に形成された２つの貫通孔に換えて、バネ９６１及び９６２の内部を中空としてそれぞれの内部に対応するリード線を通すように構成しても良い。筐体９４の下部開口部は、内部に設けられた回路を保護するために、必要に応じて略ロ字状のパッキンを介挿して、カバーがネジ止めされて覆われる。また、カバーの底部には、ステージの床面上にこの例のフットスイッチ９１を固定するために、必要に応じて吸着盤を取り付けても良い。
【００４８】
ジャック９５１〜９５４のうち、ジャック９５１及び９５２は、図１５に示すように、筐体９４の右側面９４ｂに形成された図示せぬ２つの円孔に取り付けられ、ジャック９５３及び９５４は、図示しないが、筐体９４の左側面９４ｃに形成された図示せぬ２つの円孔に取り付けられている。ジャック９５１〜９５４への電気ギター等の接続方法については、上記した実施の形態１の場合と同様である。なお、筐体９４内部に設けられる回路構成については、上記した実施の形態７の場合と同様である。この例のフットスイッチ９１を操作する場合、演奏者は、上記したフットスイッチ８１の場合と同様、自分の靴を履いた足を図１６に示す筐体９４の上面９４ａ上の発光部９２と受光部９３との間に載置しても良いし、発光部９２又は受光部９３のいずれか一方を足で蹴っても良い。足で蹴られた発光部９２又は受光部９３がバネ９６１又は９６２の弾性力により揺動することにより、発光素子９６１〜９６３から照射され対応する３つの受光素子に入射されていた可視光線のすべて又はいずれかが対応する受光素子に入射されなくなり、上記靴による可視光線の遮断と同様な状態となる。
【００４９】
このように、この例の構成によれば、上記した実施の形態７と略同様の効果が得られる。さらに、この例の構成によれば、演奏者は発光部９２又は受光部９３のいずれか一方を足で蹴ることによりフットスイッチ９１を操作することができるので、聴衆へのアピール度が高い。なお、耐久性の点では、発光部９２又は受光部９３のいずれか一方が足で蹴られても、その蹴る力は横に逃げるし、バネ９６１及び９６２の弾性力によりある程度吸収されて発光部９２又は受光部９３にそのすべてが加えられないので、上から踏み付けられる場合に比べれば高いと思われる。
【００５０】
以上、この実施の形態を図面を参照して詳述してきたが、具体的な構成はこの実施の形態に限られるものではなく、この発明の要旨を逸脱しない範囲の設計の変更等があってもこの発明に含まれる。例えば、上述の実施の形態１〜６においては、スイッチ３として押しボタンスイッチを用いる例を示したが、これに限定されず、スイッチ３としてトグルスイッチを用いても良い。この場合、スイッチ・プロテクタの立上がり部の高さは、押しボタンスイッチの場合に比べて高くする必要があり、トグルスイッチの操作部の大部分を覆うようにする。また、上述の実施の形態１、２、４及び６においては、スイッチ・プロテクタの各部は略長方形状である例を示したが、これに限定されない。例えば、スイッチ・プロテクタの基部の形状は、立上がり部と接続する端部を弦とする扇形状でも、立上がり部と接続する端部だけ円弧状でも良い。これに応じて、スイッチ・プロテクタの立上がり部の形状も、上記弦又は上記円弧状の端部に沿って略垂直に立ち上がる形状でも良く、スイッチ・プロテクタの折返し部の形状も同様である。
【００５１】
また、上述の各実施の形態においては、フットスイッチを電気ギターの切換器として用いる例を示したが、これに限定されず、このフットスイッチは、建設現場等危険な場所において、工作機械等の各種の電気機器の切換器として用いても良い。何故なら、建設現場等危険な場所では、鉄材や木材などが壁などに立てかけられており、これらが何らかの原因で倒れてフットスイッチを直撃する場合があるからである。このような場合であっても、スイッチ・プロテクタが設けられているために、その鉄材や木材による打撃をスイッチ・プロテクタが受けてスイッチに一定以上の衝撃が加えられないようにすることができる。また、上述の実施の形態７及び８におけるフットスイッチの場合でも、機構的な部分がないことやバネの弾性力により衝撃を緩和できることなどにより、フットスイッチの損壊を防止することができる。
【００５２】
また、上述の実施の形態７及び８においては、３つの発光素子から照射され対応する３つの受光素子に入射されていた可視光線のすべて又はいずれかの遮断や未入射によりフットスイッチが動作する例を示したが、これに限定されない。発光素子及び受光素子の数は３つに限らず、１つ、２つ、あるいは４つ以上でも良いし、有効な発光素子及び受光素子の組は１つだけであとはダミーでも良い。さらに、遮断又は未入射の可視光線の数によって選択される状態が異なるように構成しても良い。また、上述の実施の形態７及び８においては、発光部及び受光部をそれぞれ筐体上面の左右端部に設ける例を示したが、これに限定されず、発光部と受光部とは、筐体上面においてその間に足、具体的には靴が楽に載置できる程度の距離だけ離れていれば良い。また、上述の実施の形態８においては、発光部９２及び受光部９３の両方をバネ９６１及び９６２を用いて筐体９４の上面９４ａに揺動自在に取り付ける例を示したが、これに限定されず、発光部９２又は受光部９３のいずれか一方は筐体９４の上面９４ａに固定しても良い。この場合、発光素子９７１〜９７３から照射された可視光線が対応する受光素子に入射されるように高さを調整する必要がある。また、上述の各実施の形態は、その目的及び構成等に特に矛盾や問題がない限り、互いの技術を流用することができる。
【００５３】
【発明の効果】
以上説明したように、請求項１記載の発明に係るスイッチ・プロテクタは、スイッチの軸に遊嵌する孔が形成された基部と、スイッチとともに筐体表面に取り付けられた際にスイッチに外力が加えられる側に位置する基部の縁部に所定高さを有して立ち上がる立上がり部とが一体に形成されている。したがって、耐久性に優れ、簡単かつ安価に構成できるフットスイッチを提供することができるとともに、その使い勝手や携帯性も良好なものとすることができる。
また、請求項４記載の発明に係るフットスイッチは、スイッチと、請求項１乃至３のいずれか１に記載のスイッチ・プロテクタの少なくとも１つとが筐体表面に取り付けられている。したがって、耐久性に優れ、簡単かつ安価に構成できるとともに、その使い勝手や携帯性も良好である。
また、請求項５記載の発明に係るフットスイッチは、筐体上面に設けられ、その側面に少なくとも１つの発光素子が設けられた発光部と、筐体上面の発光部から足が載置可能な距離だけ離れて位置に設けられ、その側面に発光素子から照射された光線を受光する少なくとも１つの受光素子が設けられた受光部とを備えている。したがって、機械的な構造を有しないので、より耐久性が高い。
【図面の簡単な説明】
【図１】この発明の実施の形態１であるスイッチ・プロテクタ１の構成を示す斜視図である。
【図２】同スイッチ・プロテクタ１を適用したフットスイッチの外観構成を示す斜視図である。
【図３】図２の部分側面図である。
【図４】フットスイッチの回路構成の一例を示す回路図である。
【図５】フットスイッチの動作を説明するための概略図である。
【図６】フットスイッチの動作を説明するための概略図である。
【図７】この発明の実施の形態２であるスイッチ・プロテクタ４１の構成を示す斜視図である。
【図８】この発明の実施の形態３であるフットスイッチの第１の外観構成を示す斜視図である。
【図９】この発明の実施の形態３であるフットスイッチの第２の外観構成を示す斜視図である。
【図１０】この発明の実施の形態４であるスイッチ・プロテクタ５１の構成を示す斜視図である。
【図１１】この発明の実施の形態５であるスイッチ・プロテクタ６１の構成を示す斜視図である。
【図１２】同スイッチ・プロテクタ６１を適用したフットスイッチの外観構成を示す斜視図である。
【図１３】この発明の実施の形態６であるスイッチ・プロテクタ７１の構成を示す斜視図である。
【図１４】この発明の実施の形態６であるスイッチ・プロテクタ７２の構成を示す斜視図である。
【図１５】この発明の実施の形態７であるフットスイッチ８１の構成を示す斜視図である。
【図１６】この発明の実施の形態８であるフットスイッチ９１の構成を示す斜視図である。
【符号の説明】
１，４１，５１，６１  スイッチ・プロテクタ、１ａ，４１ａ，５１ａ，６１ａ  基部、１ｂ，４１ｂ，５１ｂ１，５１ｂ２，６１ｂ１，６１ｂ２  立上がり部、１ｃ，４１ｃ，５１ｃ１，５１ｃ２  折返し部、１ｄ，４１ｄ，５１ｄ１，６１ｃ円孔、２  スペーサ、３  スイッチ、３ａ  操作部、３ｂ  雄ネジ、４，８４，９４  筐体、４ａ，８４ａ，９４ａ  上面、４ｂ  正面、４ｃ  右側面、４ｄ左側面、４ｅ  正面辺部、５１〜５４，８５１〜８５４，９５１〜９５４  ジャック、２１〜２４  抵抗、３１  靴、３１ａ  靴底、８１，９１  フットスイッチ、８２，９２  発光部、８３，９３  受光部、８６１〜８６３，９７１〜９７３  発光素子、９６１，９６２  バネ。
【図１】
2004342536.tif 000003
【図２】
2004342536.tif 000004
【図３】
2004342536.tif 000005
【図４】
2004342536.tif 000006
【図５】
2004342536.tif 000007
【図６】
2004342536.tif 000008
【図７】
2004342536.tif 000009
【図８】
2004342536.tif 000010
【図９】
2004342536.tif 000011
【図１０】
2004342536.tif 000012
【図１１】
2004342536.tif 000013
【図１２】
2004342536.tif 000014
【図１３】
2004342536.tif 000015
【図１４】
2004342536.tif 000016
【図１５】
2004342536.tif 000017
【図１６】
2004342536.tif 000018